【手続補正書】
【提出日】平成24年5月17日(2012.5.17)
【手続補正１】
【補正対象書類名】明細書
【補正対象項目名】００１９
【補正方法】変更
【補正の内容】
【００１９】
可撓性の袋４８は、上側支持部２８と枠基部３０との間におかれて、供給源５０からばら荷を受ける。可撓性の袋４８は開いた頂部５２および閉じた基部を含む。例示的実施例では、開いた頂部５２は、開いた状態で、上側支持部２８の支持開口部３４および供給源５０近くに固定され、閉じた基部は枠基部３０近くに位置決めされる。ばら荷は、供給源５０から支持開口部３４を通って、可撓性の袋４８の開いた頂部５２に供給されて、可搬容器２０を形成する。供給源５０は、コンベア、ホッパ、または当該技術分野において公知の任意の他の供給源５０であってもよい。
【手続補正２】
【補正対象書類名】明細書
【補正対象項目名】００２０
【補正方法】変更
【補正の内容】
【００２０】
閉じた基部は袋４８状に形成され得、または袋４８は連続する管状のロールであり得、閉じた基部は、管状のロールを折り重ねるかまたは管状のロールを束ねることによって形成され得る。加えて、連続する管状のロールは、さらに、連続する管状のロールは、後でばら荷をおろすときに吐出口として用いられ得る管状のロールのある長さ部分をねじって縛ることにより閉じた基部を形成してもよい。袋４８は、好ましくは、まちのついた袋４８であり、任意の食品基準材料、たとえば低密度ポリエチレン、高密度ポリエチレン、食品基準ポリマー、ナイロン、または当該技術分野において公知の任意の他の食品基準材料から形成され得る。
【手続補正３】
【補正対象書類名】明細書
【補正対象項目名】００２１
【補正方法】変更
【補正の内容】
【００２１】
可撓性の袋４８は、上側支持部２８と枠基部３０との間に固定される。ある例示的実施例では、袋クリップ５５が、上側支持部２８から下方向に延在し、開いた頂部５２から下に約５０〜１００インチのところで袋４８に取付けられる。十分な長さが残るので、袋４８の開いた頂部５２は折り重ねられた位置に移動されることができ、袋４８は、ばら荷が袋４８に追加された後に外側ラップ４０で封止され得る。この特定の実施例では、袋４８は、開いた頂部５２は上側支持部２８の支持開口部３４に近接して固定され、一方、閉じた基部は開いた頂部５２から垂直方向に間隔をとられ、底部支持部５６において枠基部３０に隣接して位置決めされる状態で、立位にある。袋４８が充填されるなか、外側ラップ４０は袋４８のまわりに、袋４８の充填レベルの僅かに下の高さのところで螺旋上に巻かれて、可搬容器２０を形成する。
【手続補正４】
【補正対象書類名】明細書
【補正対象項目名】００２５
【補正方法】変更
【補正の内容】
【００２５】
袋４８の閉じた基部は底部支持部５６に置かれる。底部支持部５６は、パレット６０およびスリップシート６２、または当該技術分野において公知の任意の他の支持装置であってもよい。例示的実施例では、底部支持部５６は一体型運搬基部２２であり、袋４８の閉じた基部は一体型運搬基部２２に置かれる。一体型運搬基部２２は、供給源５０より下において、枠基部３０上に置かれる。運搬基部２２は、成形されたプラスチックから形成されるが、当該技術分野において公知の任意のプロセスによって製造されてもよく、当該技術分野において公知の任意の他の材料から形成されてもよい。運搬基部２２は、円形でもよく、方形でもよく、当該技術分野において公知の任意の他の形状であってもよい。可搬容器２０の形状は、運搬基部２２の形状によって決められる。たとえば、円形の運搬基部２２は円形の可搬容器２０を形成することになり、方形の運搬基部２２は方形の可搬容器２０を形成することになる。
【手続補正５】
【補正対象書類名】明細書
【補正対象項目名】００４６
【補正方法】変更
【補正の内容】
【００４６】
例示的実施例では、可撓性の袋４８の閉じた基部は運搬基部２２の近くに配置される。ストレッチ袋４２はキャリヤから解放され、運搬基部２２の壁部６６においてより小さい充填直径にまで低減される。運搬基部２２のへり７０は、ストレッチ袋４２の位置を、運搬基部２２に関して維持する。可撓性の袋４８は、可撓性の袋４８の開いた頂部５２を介して、複数のばら荷を充填される。ストレッチ袋４２の開口部は、袋４８の充填レベルの僅かに下の高さにおいて、より小さい充填直径にまで低減される。ストレッチ袋４２の開口部は、可撓性の袋４８の充填中において充填レベルが上昇するにつれ、袋４８の充填レベルの僅かに下の高さにおいて、より小さい充填直径にまで低減される。ばら荷が袋４８に追加されると、運搬基部２２の壁部６６が、まず可搬容器２０を形作る。ばら荷の高さが上昇するにつれ、ストレッチ袋４２は解放され、より小さな直径に低減されて、可搬容器２０を形成する。ばら荷は、運搬基部２２の初期形状を維持したがることになる。
【手続補正６】
【補正対象書類名】明細書
【補正対象項目名】００４７
【補正方法】変更
【補正の内容】
【００４７】
代替的実施例では、スリップ枠形成部２４はパレット６０およびスリップシート６２実施例または運搬基部２２とともに用いられてもよい。可撓性の袋４８の閉じた基部は、枠基部３０上において、運搬基部２２またはスリップシート６２近くに配置される。ストレッチ袋４２はキャリヤから解放され、運搬基部２２の壁部６６またはスリップシート６２においてより小さな充填レベルにまで低減される。スリップ枠形成部２４は、最初、運搬基部２２から間隔をおかれる。ばら荷が袋４８に追加されるにつれ、運搬基部２２はまず袋４８を形作る。スリップ枠形成部２４は運搬基部２２の形状を保持し、袋４８を可搬容器２０に形作り続けることになる。ストレッチ袋４２の開口部は、可搬容器２０の充填中において充填レベルが上昇するにつれ、実質的にスリップ枠形成部２４においてより小さい充填直径にまで低減される。上で論じたように、スリップ枠形成部２４は、テフロン（登録商標）コーティングまたはくぼみのついた表面を、特に、形成部壁部７６の角部または下方向に延在するアーム８０上に含んでもよい。テフロン（登録商標）コーティングは、スリップ枠形成部２４がばら荷の高さに応答して枠基部３０に関して移動するなか、スリップ枠形成部２４がストレッチ袋４２から容易に引き離されることを可能にする。
【手続補正７】
【補正対象書類名】明細書
【補正対象項目名】００５１
【補正方法】変更
【補正の内容】
【００５１】
例示的実施例では、可撓性の袋４８の閉じた基部は運搬基部２２の近くに配置される。熱収縮フィルム４４はキャリヤから解放され、運搬基部２２の壁部６６においてより小さい充填直径にまで低減される。運搬基部２２のへり７０は、熱収縮フィルム４４の位置を、運搬基部２２に関して維持する。可撓性の袋４８は、可撓性の袋４８の開いた頂部５２を介して、複数のばら荷を充填される。径方向に可撓性の熱収縮フィルム４４の開口部は、袋４８の充填レベルの僅かに下の高さにおいて、より小さい充填直径にまで低減される。熱収縮フィルム４４の大きな直径の開口部は、可撓性の袋４８の充填中において充填レベルが上昇するにつれ、袋４８の充填レベルの僅かに下の高さにおいて、より小さい充填直径にまで低減される。ばら荷が袋４８に追加されると、運搬基部２２の壁部６６が、まず可搬容器２０を形作り続けることになる。ばら荷の高さが上昇するにつれ、熱収縮フィルム４４は解放され、より小さな直径に低減されて、可搬容器２０を形成する。ばら荷は、運搬基部２２の初期形状を維持したがることになる。